(57)【要約】【課題】低い製造コストで、油脂等の分離効率を高めることのできるグリスフィルタを提供する。【解決手段】後側に向けて開いた複数個の後羽根板３１を列状に配置した後枠３０と、前側に向けて開いた複数個の前羽根板２１を前記後羽根板３１に部分的に重なるように列状に配置した前枠２０とを重ね合わせたグリスフィルタであって、後羽根板３１の側方部分に重なる前羽根板２１の側方部分には、後羽根板３１に向かって近づくように切り起こされた複数個の切り起こし片２５が間隔をあけて線状に設けられ、切り起こし片２５の線状方向の長さＬ１は、隣接する隣の切り起こし片２５同士の間隔Ｌ２よりも長く設けられている。【選択図】図６
2019115894.tif 000002
【特許請求の範囲】
【請求項１】
後側に向けて開いた複数個の後羽根板を列状に配置した後枠と、
前側に向けて開いた複数個の前羽根板を前記後羽根板に部分的に重なるように列状に配置した前枠とを重ね合わせたグリスフィルタであって、
前記後羽根板の側方部分に重なる前記前羽根板の側方部分には、前記後羽根板に向かって近づくように切り起こされた複数個の切り起こし片が間隔をあけて線状に設けられ、
前記切り起こし片の線状方向の長さは、隣接する隣の前記切り起こし片同士の間隔よりも長く設けられている、グリスフィルタ。
【請求項２】
前記前羽根板の側方端は前記後羽根板に向かうように折曲げられ、前記切り起こし片は折曲げられた前記側方端とほぼ平行な関係となるように切り起こされており、
前記後羽根板の側方端は前記前羽根板に向かうように折曲げられ、前記切り起こし片は折曲げられた前記側方端とほぼ平行な関係となるように切り起こされている、請求項１に記載のグリスフィルタ。
【発明の詳細な説明】
【技術分野】
【０００１】
この発明は、たとえば厨房などで排気用に設置されるグリスフィルタに関するものである。
【背景技術】
【０００２】
厨房などでは油脂を含む蒸気が発生する。グリスフィルタは、排気中に含まれる油脂等の付着成分を有効に除去するものである。
【０００３】
図１は、厨房に設置されたグリスフィルタユニット１の一例を模式的に図示している。厨房の天井７にはフード６が取付けられている。フード６内でダクト８を取囲むようにグリスフィルタユニット１が設置される。グリスフィルタユニット１は、ほぼＶ字状の位置関係となるように設置された２つのグリスフィルタ１０と、オイル受け３と、チューブ４と、オイルカップ５とを備える。ダクト８に通ずる排気口には防火ダンパ９が設置される。
【０００４】
油脂を含む蒸気は、図中矢印で示すように、グリスフィルタ１０を通過し、さらに防火ダンパ９を通過してダクト８から外部へ排気される。グリスフィルタ１０は、蒸気中に含まれる油脂等を分離する。グリスフィルタ１０によって分離された油脂等は、グリスフィルタ１０を伝って下方に流れオイル受け３によって受けられ、さらにチューブ４を経由してオイルカップ５に溜められる。
【先行技術文献】
【特許文献】
【０００５】
【特許文献１】特開平１１−２５３７２３号公報
【発明の概要】
【発明が解決しようとする課題】
【０００６】
グリスフィルタは、蒸気中に含まれる油脂等を有効に分離除去する必要がある。そこで、この発明の目的は、油脂等を有効に分離することのできる、さらに改良された構造を持つグリスフィルタを提供することである。
【課題を解決するための手段】
【０００７】
このグリスフィルタは、後側に向けて開いた複数個の後羽根板を列状に配置した後枠と、前側に向けて開いた複数個の前羽根板を上記後羽根板に部分的に重なるように列状に配置した前枠とを重ね合わせたグリスフィルタであって、上記後羽根板の側方部分に重なる上記前羽根板の側方部分には、上記後羽根板に向かって近づくように切り起こされた複数個の切り起こし片が間隔をあけて線状に設けられ、上記切り起こし片の線状方向の長さは、隣接する隣の上記切り起こし片同士の間隔よりも長く設けられている。
【０００８】
上記構成によれば、切り起こし片はガスの流れを面で受けるようになるので、ガスのより大きな抵抗となり油脂等の分離効率を高めることができる。さらに、上記切り起こし片の線状方向の長さは、隣接する隣の上記切り起こし片同士の間隔よりも長く設けられている。その結果、切り起こし片のガスの流れを受ける面の面積をより大きくすることができ、効果的に油脂等の分離効率を高めることができる。
【０００９】
好ましい形態においては、上記前羽根板の側方端は上記後羽根板に向かうように折曲げられ、上記切り起こし片は折曲げられた上記側方端とほぼ平行な関係となるように切り起こされており、上記後羽根板の側方端は上記前羽根板に向かうように折曲げられ、上記切り起こし片は折曲げられた上記側方端とほぼ平行な関係となるように切り起こされている。
【００１０】
上記構成よれば、上記前羽根板の側方端と上記後羽根板の側方端との挟まれた領域は、他の領域よりも間隔が狭くなるために、ガスの流れが速くなる。これにより、切り起こし片へのガスの衝突スピードが高まることで、相対的に切り起こし片のガスに対する抵抗がさらに高まり、油脂等の分離効率をさらに高めることができる。
【発明の効果】
【００１１】
このグリスフィルタによれば、油脂等を有効に分離することができる。
【図面の簡単な説明】
【００１２】
【図１】厨房の天井に設置されたグリスフィルタユニットを示す図である。
【図２】実施の形態のグリスフィルタの正面図である。
【図３】実施の形態のグリスフィルタの背面図である。
【図４】図２中のＡ−Ａ線矢視断面図である。
【図５】図４中のＢで囲まれた領域の部分拡大図である。
【図６】前羽根板の側方部分の拡大斜視図である。
【発明を実施するための形態】
【００１３】
図２から図５を参照して、実施の形態におけるグリスフィルタ１０の構成について説明する。グリスフィルタ１０は、前枠２０と、後枠３０と、後枠３０に取付けられた取手４０とを含む。図２および図３においては、構造の理解を容易にするために、一部破断して図示している。
【００１４】
図４によく表れるように、前枠２０には後側に向けて開いた複数個の前羽根板２１が列状に配置されている。後枠３０には、前側に向けて開いた複数個の後羽根板３１が前羽根板２１に部分的に重なるように列状に配置されている。グリスフィルタ１０は、前枠２０と後枠３０とを重ね合わせて使用される。
【００１５】
図５を参照して、前羽根板２１および後羽根板３１は、ともに、全体としては丸みを帯びたＶ字状の形態となっている。前羽根板２１の側方部分は、入ってくるガスの流れに対して垂直な面を構成する肩部２２と、後羽根板３１に向かうように折曲げられた折曲げ側方端２３とを有する。
【００１６】
前羽根板２１の肩部２２には、後羽根板３１に向かって近づくように切り起こされた複数個の切り起こし片２５が間隔をあけて線状に設けられている。切り起こし片２５を切り起こすことによって形成される開口２４は、折曲げ側方端２３と切り起こし片２５との間に位置する。切り起こし片２５は、折曲げ側方端２３とほぼ平行な関係となるように切り起こされている。
【００１７】
後羽根板３１の側方部分は、肩部３２、および、折曲げ側方端３３を有する。折曲げ側方端３３は前羽根板２１に向かうように折曲げられ、切り起こし片２５は折曲げられた折曲げ側方端２３とほぼ平行な関係となるように切り起こされている。
【００１８】
図５中の矢印は、ガスの流れを示している。前羽根板２１と後羽根板３１とが重なり合った領域では流路が狭くなっているので、通過するガスの流れは速くなる。特に、図示した構成では、前羽根板２１の折曲げ側方端２３と後羽根板３１の折曲げ側方端３３とが重なり合った領域では流路を一層狭くしているので、ガスの流れは一層速くなる。
【００１９】
このようなガスの最速領域に切り起こし片２５が位置しているので、切り起こし片２５は通過するガスの流れに対して障害物（抵抗）となるように機能する。特に図示した実施の形態では、切り起こし片２５は、ガスの流れに対してまともに衝突する面となる。油脂等を含むガスは切り起こし片２５に衝突し、この衝突によって油脂等が有効に分離される。
【００２０】
図６に示すように、切り起こし片２５の線状方向の長さＬ１は、隣接する隣の切り起こし片２５同士の間隔Ｌ２よりも長く設けられている。この構成を採用することで、切り起こし片２５のガスの流れを受ける面の面積をより大きくすることができ、より、効果的に油脂等の分離効率を高めることができる。
【００２１】
切り起こし片２５は、前羽根板２１の一部を部分的に切り起こすことによって切り起こし片を形成している。これにより、材料および部品を増やすことなく、ガスの流れに対して抵抗となる障害物を形成しているので、製造コストを低く抑えることができる。なお、コストが問題にならないのであれば、別部品で切り起こし片２５を構成してもよい。
【００２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００２３】
１０  グリスフィルタ、２０  前枠、２１  前羽根板、３０  後枠、３１  後羽根板、２２，３２  肩部、２３，３３  折曲げ側方端、２４  開口、２５  切り起こし片、４０  取手。
【図１】
2019115894.tif 000003
【図２】
2019115894.tif 000004
【図３】
2019115894.tif 000005
【図４】
2019115894.tif 000006
【図５】
2019115894.tif 000007
【図６】
2019115894.tif 000008